Podtech/llm-jp-corpus-v4-ja_patent huggingface dataset:
(57)【要約】      （修正有）【課題】食べはじめから食べ終わりまで具と飯の味のバランスが変わらず美味しく食べることが出き、食べているときにこぼれたり、崩れたりしない衛生的なおにぎりを提供する。【解決手段】具である中華風に味付けした焼豚を３ミリにスライスし、表面積と同じくらいの大きさの、かしわ飯のおにぎりの上に乗せる。このかしわ飯は醤油をベースに鳥肉、野菜などで調理し、各種おにぎりの形状に成型。小葱を少量焼豚の上に載せビニールでくるんで包装する。【選択図】図１
0003178641.tif 000002
【実用新案登録請求の範囲】
【請求項１】
かしわ飯と中華風焼豚を重ね小葱を添えて、全体をビニールで包む、焼豚おにぎりの製法。
【請求項２】
前記おにぎりは、丸型または四角形または三角形または棒状または俵型または板状に形成されていることを特徴とする請求項１に記載の焼豚おにぎりの製法。
【考案の詳細な説明】
【技術分野】
【０００１】本発明は、焼豚おにぎりであり、ラーメンに代表されるしょうゆ味の豚肉で作られた焼豚と、鶏肉と野菜、茸類、だし汁で調理されたかしわ飯を重ね合わせ、良好な味と風味を兼ね備え、おいしさと満足度を両立でき、生産性についても優れた、焼豚おにぎりに関するものです。
【背景技術】
【０００２】日本ではおにぎりという優れた携帯食があり、屋外でも屋内でも美味しく食されてきました。近年各地で地産地消という農業推進事業でお米が見直されており、多くのおにぎりが各食料品店で販売されております。しかしながら普通のおにぎりでは具が真ん中にあり表示されていないと中身がわからず、味も具に到達するまでに片寄った美味しさとなる。塩味、醤油味などの炊き込みご飯によっても味が単調であり、おにぎり１個での満足感は補助的なおかずなどが必要となる場合が多い。ふつうのおにぎりでは最後に手に米が付くこともあり、こぼれたりする欠点もある。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】本発明は従来のこのような欠点を克服することを目標として、最初から最後まで均一に美味しさを楽しめる。また同時に栄養的にも肉類と米を同時に摂ることができる。
ビニールでくるむ為、衛生的にも満足できるおにぎりとこの製法を提案するものである。
【課題を解決するための手段】
【０００６】上記の課題を克服する為、焼豚をかしわ飯の表面と同じ大きさにして、具である焼豚をかしわ飯と一緒に美味しく食べることが出来るようにした。葱を焼き豚の上に少量のせ、栄養と味のバランスもとるようにした。最終的にビニールで形成する為衛生的であり、またそのまま解いて直接手が触れない状態で食す事が出来るようにした。
【考案の効果】
【０００７】このおにぎりは中華と和食の合体でもあり、焼豚とかしわ飯を同時に食べられるという、従来にはない風味と、食感、更には満足感が得られるおにぎりを提供することができる。
【図面の簡単な説明】
【０００８】
【図１】この発明品を示す斜視図です。
【考案を実施するための形態】
【０００９】本発明においておにぎりの形状、大きさは自由であるが、かしわ飯の上部と同じ大きさの焼豚でなければならない．
【００１０】おにぎりの形や大きさは規定しない。
【００１１】最終的にビニールで覆う為、開けばそのまま食べることが出来るので、くずれたり、こぼれたりしない。直接手が触れない為衛生的である。
【実施例】
【００１２】焼豚は豚のばら肉、肩肉などを使用し、紐で棒状にしばり、醤油、みりん、フルーツ、酒、にんにく、しょうが等で中華風に味付けしたタレで煮込んで冷やし、３ミリの厚さに切る。その際断面は作ろうとするおにぎりの表面積と同じに作る。かしわ飯は醤油、砂糖、塩、きくらげ、にんじん、鶏肉、油で味付けし、各おにぎりに形成する。盛り付ける際、焼豚の上に葱を少量添える。ビニールで出来上がったものをくるみ包装する。
【産業上の利用可能性】
【・・・・】
【符号の説明】
【・・・・】
【図１】
0003178641.tif 000003
【手続補正書】
【提出日】平成24年7月4日(2012.7.4)
【手続補正１】
【補正対象書類名】実用新案登録請求の範囲
【補正対象項目名】全文
【補正方法】変更
【補正の内容】
【実用新案登録請求の範囲】
【請求項１】
かしわめしを三角形、俵型、楕円形、球形、棒状、四角形に整形し、その一面に３ミリにスライスされた中華風焼豚を１枚貼り付け、小さく刻んだ小葱を、中華風焼豚の上にのせて、ビニールで全体を包んだ焼豚おにぎり。
(57)【要約】      （修正有）【課題】放射能で汚染された水を濾過して活水された水を供給する１台で多機能を持つ活水器を提供する。【解決手段】１は本体、１の本体側部にある、２の給水口より水を濾過装置内部に供給する。水は自己の水圧によって５の粉砕板に打ち付けられ砕かれる。砕かれた水は第１濾過室に侵入する。８のエネルギー室内のエナルギー板に接触しながら、７の撹拌室へと侵入撹拌される。セラミックスで埋められている９の第２濾過室に入る。第２濾過室と同様第３濾過室、第４濾過室を通過して汚染水は濾過が進められ、第５濾過室で最終濾過を行う。最後に活水器を通過して飲料水として安定した安全な水となって供給される。【選択図】図１
0003178643.tif 000002
【実用新案登録請求の範囲】
【請求項１】
水を活性化させるため、粉砕室に粉砕板をもうけて粉砕させる装置。
【請求項２】
粉砕された水を第１の濾過室の鉱石と独自開発のセラミックスを重鎮されている濾過器を通過して第１回目の濾過が行われる。
【請求項３】
第１室で濾過された水は第１回目のエネルギーをエネルギー室で受け撹拌室で撹拌されて第２濾過室の鉱石と独自開発のセラミックスを重鎮されている濾過器を通過して濾過がおこなわれる。
【請求項４】
第２室で濾過された水は第２回目のエネルギーをエネルギー室で受け撹拌室で撹拌されて第３濾過室の鉱石と独自開発のセラミックスを重鎮されている濾過器を通過して濾過がおこなわれる。
【請求項５】
第３室で濾過された水は第３回目のエネルギーをエネルギー室で受け撹拌室で撹拌されて第４濾過室の鉱石と独自開発のセラミックスを重鎮されている濾過器を通過して濾過がおこなわれる。
【請求項６】
第４室の濾過された水は、第５濾過室の鉱石と独自開発のセラミックスで濾過される。濾過された水は活水器［ありがとう］の室内においても粉砕、撹拌される。水は、細分割されエネルギーをあたえられて、放射能のセシュウムとヨウ素が取除かれ、安定した安全な水を供給する装置。
【考案の詳細な説明】
【技術分野】
【０００１】粉砕、撹拌、エネルギーを与える機構、鉱石と独自開発のセラミックスを重鎮させた濾過機能を持つ濾過装置付活水器。
【背景技術】
【０００２】セラミックを通過させるのみの製品、磁気を与えるのみの製品、一時的な効果はあるが安定しない難点があり時間の経過と共に元の水に戻ってしまう。
【考案が解決しようとする課題】
【０００３】放射能のセシュウムとヨウ素の含まれた水を、本来持っている力を発揮できる飲料水として安全に使用できる状態に仕上げることを目的とする。
【考案が解決しようとする手段】
【０００４】粉砕板の構造、濾過装置の形状、エネルギー板の設置、撹拌室以上の形態を内部に構成できるように設計した。
【考案実施の形態】
【０００５】濾過装置内部には、粉砕室、エネルギー室、撹拌室、濾過室が内臓されている。
本体上部には水の給水口、空気弁、圧力弁が設置されていて異常な圧力がかからないように補助の働きをする。
【実施例】
【０００６】以下は添付図により実施例を説明する。
図１、濾過装置正面の断面図である。１は本体、１の本体側部にある、２の給水口より水を濾過装置内部に供給する。水は自己の水圧によって５の粉砕板に打ち付けられ砕かれる。砕かれた水は第１濾過室に侵入する。８のエネルギー室内のエナルギー板に接触しながら、７の撹拌室へと侵入撹拌される。
セラミックスで埋められている９の第２濾過室に入る。第２濾過室と同様第３濾過室、第４濾過室を通過して汚染水は濾過が進められ、第５濾過室で最終濾過を行う。
最後に活水器［ありがとう。］を通過して飲料水として安定した安全な水となって供給される。
【考案の効果】
【０００７】濾過機能の第２室、第３室、第４室、第５室、それぞれ汚染を除去するためのセラミックスが重鎮されていて、より確実に汚染を除去する力を持ち安定した水を供給する。
【図面の簡単な説明】
【０００８】
【図１】給水口、粉砕板、エネルギー室、撹拌室と５個の濾過機能部分を持つ濾過装置。
【符号の説明】
【０００９】  １本体
２空気弁
３圧力弁
４給水口
５粉砕板
６第１濾過器
７撹拌室
８エネルギー室
９第２濾過室
１０撹拌室
１１エネルギー室
１２第３濾過室
１３撹拌室
１４エネルギー室
１５第４濾過室
１６第５濾過室
１７濾過装置台座
１８活水器［ありがとう。］
【図１】
0003178643.tif 000003
【手続補正書】
【提出日】平成24年7月4日(2012.7.4)
【手続補正１】
【補正対象書類名】実用新案登録請求の範囲
【補正対象項目名】全文
【補正方法】変更
【補正の内容】
【実用新案登録請求の範囲】
【請求項１】
活水装置の内部に水を粉砕させるため打たせる粉砕板を持つ活水器
【請求項２】
活水装置の内部に粉砕させた水に酸素をより多く含ませるため水を攪拌させる攪拌構造を持つ請求項１に記載の活水器
【請求項３】
水にエネルギーを与えるために磁石を使用したエネルギー室を持つ請求項１に記載の活水器
【請求項４】
水に含まれる有害物質を濾過するためのセラミックスを充填した濾過装置を持つ請求項１に記載の活水器
(57)【要約】      （修正有）【課題】味噌などのガスが発生し易く、時間の経過とともにガスを発生する内容物が、包装用チューブを開封した際に、充填した内容物が包装用チューブ内部のガス圧で、包装用チューブ外部に飛び出すことがない包装用チューブを提供する。【解決手段】一端に開閉蓋が着脱自在に締着され、ガスが発生し易い内容物を充填して使用される包装用チューブ本体の後方部に透孔や切り込みのガス抜き部を設けて、ガス抜き部のガス抜き透孔や切り込みに連通するガス抜き溝が刻設されたバルブシールをガス抜き部に貼着する。ガス抜き部に、接着シートを介在して透孔や切り込みにバルブシールを貼着する。【選択図】図１
0003178651.tif 000002
【実用新案登録請求の範囲】
【請求項１】
一端に開閉蓋が着脱自在に締着され、ガスが発生し易い内容物を充填して使用される包装用チューブ本体の側面部に透孔や切り込みのガス抜き部を設け、該ガス抜き部のガス抜き透孔や切り込みに連通するガス抜き溝が刻設されたバルブシールを前記ガス抜き部に貼着したことを特徴とする包装用チューブ。
【請求項２】
上記ガス抜き部に、接着シートを介在して上記バルブシールを貼着したことを特徴とする請求項１に記載の包装用チューブ。
【考案の詳細な説明】
【技術分野】
【０００１】  本考案はチューブに粘体、例えば味噌などのガスが発生し易い内容物を充填した包装用チューブに関するものである。
【背景技術】
【０００２】  本考案は、味噌などのガスが発生し易い内容物を具合よく収容でき、且つ密閉封入でき、また開封が容易で、強靱で簡潔で安価で使い捨てに都合良い包装用チューブを提供することにある。
【先行技術文献】
【特許文献】
【０００３】
【特許文献１】実開昭５０−９３４５号公開実用新案公報
【０００４】
【特許文献２】特開平１０−３２９８５０号公開特許公報
【考案の概要】
【考案が解決しようとする課題】
【０００５】    本考案の目的は、味噌などのガスが発生し易く、時間の経過とともにガスを発生する内容物であっても、包装用チューブを開封した際に、充填した内容物が包装用チューブ内部のガス圧で、包装用チューブ外部に飛び出すことがない包装用チューブを提供することにある。
【課題を解決するための手段】
【０００６】本考案に係る包装用チューブは、一端に開閉蓋が着脱自在に締着され、ガスが発生し易い内容物を充填して使用される包装用チューブ本体の側面部に透孔や切り込みのガス抜き部を設け、該ガス抜き部のガス抜き透孔や切り込みに連通するガス抜き溝が刻設されたバルブシールを前記ガス抜き部に貼着したことを特徴とする包装用チューブで、ガス抜き部に、接着シートを介在して透孔や切り込みにバルブシールを貼着して接着強度を高めて、液体やペースト状体等の味噌などのガスが発生し易く、時間の経過とともにガスを発生する内容物であっても、充填した包装用チューブ内部のガスを的確に排出することができるようにした。
【考案の効果】
【０００７】本考案に係る包装用チューブは、液体やペースト状体等の味噌などのガスが発生し易く、時間の経過とともにガスを発生する内容物であっても、充填した包装用チューブ内部のガスを、ガス抜き部のガス抜き透孔や切り込みに連通するガス抜き溝が刻設されたバルブシールのガス抜き溝を介して、包装用チューブ外部に的確に排出することができるので、包装用チューブを開封しても充填した内容物が包装用チューブ外部に飛び出すことがない。  更に、ガス抜き部に接着シートを介在してガス抜き透孔や切り込みにバルブシールを貼着し、接着強度を高めたので、液体やペースト状体等の味噌などのガスが発生し易く、時間の経過とともにガスを発生する内容物であっても、充填した包装用チューブ内部のガスを的確に排出することができるようにした。
【図面の簡単な説明】
【０００８】
【図１】本考案に係る実施例を示す正面図である。
【図２】本考案に係る図１の側面図である。
【図３】本考案に係る図１のＡ−Ａ矢視断面拡大図である。
【考案を実施するための形態】
【０００９】本考案に係る実地例を図１から図３を参照して以下説明する。
【実施例】
【００１０】本実施例では、図１と図２に図示するチューブ本体１の側面部（後方部）に設けたガス抜き部３に、図３（図１のＡ−Ａ矢視断面拡大図）に図示する如くガス抜き透孔３ａを封止するガス抜き溝４ａが刻設されたバルブシール４をガス抜き部３に接着シート５を介して貼着した。本実施例では、ガス抜き部３に１個のガス抜き透孔３ａを穿設したが、ガス抜き透孔３ａは必要に応じて１個以上のガス抜き透孔３ａを穿設してもよいことは言うまでもない。また、図示は省略したが、ガス抜き用の切込みを刻設してもよい。
【産業上の利用可能性】
【００１１】  本考案に係る包装用チューブは、液体やペースト状体等の味噌などの内容物のみならず、例えば、わさびや辛子などを充填して使用される種々の包装用チューブに適用できる。
【符号の説明】
【００１２】１・・・チューブ本体
２・・・開閉蓋
３・・・ガス抜き部
３ａ・・・ガス抜き透孔
４・・・ガス抜き溝が刻設されたバルブシール
４ａ・・・ガス抜き溝
５・・・接着シート
【図１】
0003178651.tif 000003
【図２】
0003178651.tif 000004
【図３】
0003178651.tif 000005
(57)【要約】      （修正有）【課題】臭いの強い、水分の多い食品などを密封し、小分け保存、隙間収納しやすく、開口や開封を楽にする、チャック袋型のおかず小容器を提供する。【解決手段】チャック付きポリ袋１に底面２を設け、開口部には半円形状の取っ手３を設け、開封口の両端に片手開口用の取っ手４を設け、さらに袋の内側上部の一部分に蛇腹５を有する。【選択図】図２
0003178655.tif 000002
【実用新案登録請求の範囲】
【請求項１】
チャック付きポリ袋（１）に底面（２）を設け立体的にし、開口部には半円形状の取っ手（３）を設け、開封口の両端に取っ手（４）を設けた。さらに袋の内側上部の一部分に蛇腹（５）を有した容器。
【考案の詳細な説明】
【技術分野】
【０００１】  本考案は、チャック付きポリ袋に底面を設け、開口や開封を楽にする取っ手を設けたチャック付きポリ袋型のおかず小容器である。
【背景技術】
【０００２】  従来、小分け保存用では、弁当おかず入れ用の容器としておかずカップ、プチカップ、デイップカップ等のフタ付き小容器があり、主に浅形でケチャップやマヨネーズ等の調味料を入れる容器として使用されている。フタなしではアルミケースや紙製、プラスチック製、シリコン製のおかず入れケースがある。
チャック付きポリ袋は、主に冷凍用、消臭用等の保存小袋がある。
【先行技術文献】
【特許文献】
【０００３】
【特許文献１】特許  第３２９４００２号  ＪＰ  Ｂ２
【特許文献２】特開２００３−１０４３９４  ＪＰ  Ａ
【非特許文献】
【０００４】
【非特許文献１】実登  第３０３６９９９号  ＪＰ  Ｕ
【非特許文献２】実登  第３１６２４５６号  ＪＰ  Ｕ
【考案の概要】
【考案が解決しようとする課題】
【０００５】  これは次のような欠点がある。
従来、香りや臭いの強い漬物や珍味など、また水分の多い煮物、果物の缶詰などの食品が弁当のおかずとして敬遠されてきた。これらの食品は密封された容器を必要とし、他の食品と一緒に弁当箱に詰める事ができないからである。
現在市販されている密閉式の小容器では、形が限定され、区切られた弁当箱の形状や深さなどにより、弁当箱の隙間に入れられない事が問題となっていた。また、密閉袋を使用して、これらの食品を小分け保存する場合は、立てて保存する事が難しく、スペースを取る事が問題となっていた。
本考案は、以上のような欠点をなくすためになされたものである。
【課題を解決するための手段】
【０００６】  チャック付きポリ袋（１）に底面（２）を設け立体的にし、開口部には半円形状の取っ手（３）を設け、開封口の両端に片手開口用の取っ手（４）を設けた。さらに袋の内側上部一部分に蛇腹（５）を有したものである。
本考案は、以上の構造で構成された柔軟性、気密性を特徴とするチャック付きポリ袋型のおかず小容器である。
【考案の効果】
【０００７】  本考案のチャック付きポリ袋型のおかず小容器は、臭いや香りの強い漬物や珍味、水分が多いのど越しの良い食品、煮物などの小分け保存に最適である。また、以下の特徴を有し、高齢者用弁当への利用、赤ちゃんの離乳食の保存などに効果がある。
（イ）弁当箱の隙間や形を選ばず食品を入れられ、また、狭い場所での小分け保存も可能である。
（ロ）一度開封すると、片手で押し広げられ、もう一方の手で食材を自由に取り出す事ができる。
（ハ）空のチャック付きポリ容器は、折り畳んで狭い場所に収納可能である。
（ニ）安価なコストででき、使い捨て容器として使用しやすい。
【図面の簡単な説明】
【０００８】
【図１】本考案の斜視図である
【図２】本考案の平面図である。
【図３】本考案の縦断面図である。
【図４】本考案の蛇腹部分の拡大図である。
【図５】本考案の使用状態を示す斜視図である。
【図６】本考案の折り畳んだ時の平面図である。
【考案を実施するための形態】
【０００９】  以下、本考案を実施するための最良の形態について説明する。
チャック付きポリ袋（１）に底面（２）を設け立体的にし、開口部には半円形状の取っ手（３）を設け開けやすくし、また、開封口を親指と人さし指を使って、片手で押し広げ食材の出し入れを容易にする取っ手（４）を設け、さらに袋内側上部の一部分に、左右の面の付着、毛管現象、汚れ防止を目的とした蛇腹（５）を有した構造である。
これを使用するときは、ケースへの小分け保存や弁当のおかず容器として、臭いのある物や水分の多い食品などを密封し、その隙間に合わせて柔軟に形状を変えて収められる。また、開封後も内容物をこぼさないよう立てておける。右手に箸やスプーンを持ち、左手で容器を持ち開封口を押し広げながら食事も可能。さらに空のチャック付きポリ容器は折り畳んで狭い所に収納しておくことができる。
【実施例】
【００１０】  半円形状の取っ手（３）または、本体の上部の一部分に日付記入欄を設ける事で、保存日などの記入ができる。これにより、食品検査等の保存、乳児の離乳食保存、自家製調味料の保存、薬の小分け用など、利用範囲を広げられる。また、袋のサイズを大きくしたり、底面の大きさを変え、長方形だけでなく正方形に作るなど形状を変えることにより、タッパー代わりの保存容器として幅広い用途で活用できる。
【産業上の利用可能性】
【００１１】  多様化しているおかず容器に対応し、形状を選ばず水分の多い食品や臭いの強い食品を密封保存することはもちろん、更に気密性を高めることにより長期保存用として使用する事もできる。また、耐熱性を施す事により、レンジの利用が可能となる。その他消臭、冷凍用加工をすることにより、更に幅広い利用が可能となる。
【符号の説明】
【００１２】  １  チャック付きポリ袋
２  底面
３  半円形状の取っ手
４  片手開口用の取っ手
５  内側上部一部の蛇腹
【図１】
0003178655.tif 000003
【図２】
0003178655.tif 000004
【図３】
0003178655.tif 000005
【図４】
0003178655.tif 000006
【図５】
0003178655.tif 000007
【図６】
0003178655.tif 000008
(57)【要約】      （修正有）【課題】刃体の枢軸穴に異形パッキングを保持させて耐久性及び使い易さ等を良好にする理美容用鋏を提供する。【解決手段】上部、下部一対の刃体の内、前記上部刃体１１の中央基部の扁平部に穿った枢軸穴１１ａに、外径Ｄｍｍ、厚さｔｍｍを有し、さらにこの外径Ｄｍｍ内に、取付けねじが据え付け、嵌合できるような成型もしくは機械加工してなる耐摩耗性樹脂の異形ブッシング１３を圧入固定し、これと対応する下部刃体１２のタッピング穴に取付けねじ１４にて固定して理美容用鋏を形成する。【選択図】図４
0003178656.tif 000002
【実用新案登録請求の範囲】
【請求項１】
上部、下部一対の刃体の内、前記上部刃体の中央基部の扁平部に穿った枢軸穴に、外径Ｄｍｍ、厚さｔｍｍを有し、さらにこの外径Ｄｍｍ内に取付けねじが据え付け、嵌合できるような成型もしくは機械加工からなる耐摩耗性樹脂の異形ブッシングを圧入固定し、これと対応する下部刃体のタッピング穴に取付けねじをねじ込んで固定したことを特徴とする理美容用鋏。
【考案の詳細な説明】
【技術分野】
【０００１】本考案は、理髪店や美容院で用いられる理美容用鋏の改良に関する。
【背景技術】
【０００２】従来、業界において一般に普及されている理美容用鋏は、図１及び図２のように一対の刃体１、２の中央基部に形成している扁平部３、４とこの部分に穿った枢軸穴３ａ、ねじ穴４ａに合致させ、ねじ５にて固定することでそれぞれの指受け６、７を動かすことで連続して毛髪を切断するのが公知とされている。【０００３】しかしながら、この構造のものは一対の刃体の接触面で次のような問題があった。
刃体１、２の繰り返しで扁平部３、４の枢軸ねじ５が経時、経年的にゆるみ易く、刃体の摩擦ですべりが悪くなったり、摩耗したりというような耐久性に劣ることや毛髪の切断の作業効率が落ちることや理美容師が疲れ易くなるという問題があった。
【考案の概要】
【考案の解決しようとする課題】
【０００４】本考案は上述の問題点を除去するためになされたものであり、一対の刃体の内、上部刃体の中央基部に穿った枢軸穴に耐摩耗性樹脂からなる異形ブッシングを圧入し、下部刃体に施したタッピング穴にねじを押し込んで接合固定するようにした。
【課題を解決するための手段】
【０００５】本考案は、上部、下部一対の刃体の内、前記上部刃体の中央基部の扁平部に穿った枢軸穴に、外径Ｄｍｍ，厚さｔｍｍを有し、さらにこの外径Ｄｍｍ内に、取付けねじが据え付け、嵌合できるような成型もしくは機械加工してなる耐摩耗性樹脂の異形ブッシングを圧入固定し、これと対応する下部刃体のタッピング穴に取付けじにて固定した理美容用鋏の提供により上記の問題を解決している。
【考案の効果】
【０００６】異形ブッシングの厚みと上部刃部の厚みはともにｔｍｍであり、その外径も異形ブッシングのＤｍｍに対し上部刃部のそれは同径もしくはそれ以下に設定されていることから確実に圧入され抜けることはない。
【０００７】滑りが良好になることから頻繁に繰り返される回動操作で生じる衝撃、摩擦等による指の疲労も大幅に軽減されので快適な理美容行為を行える。
【図面の簡単な説明】
【０００８】
【図１】  従来の理美容用鋏の斜視図
【図２】  従来の要部拡大断面図
【図３】  本考案の理美容用鋏
【図４】  本考案の要部拡大断面図
【実施例】
【０００９】以下、本考案の一実施例を説明すると次のようである。
図３は本考案の理美容用鋏の異形ブッシング１３の位置を示す斜視図である。この配置箇所は上部刃部１１の中央基部に穿った枢軸穴部１１ａであり前記刃部の厚さｔｍｍに圧入固定されている。【００１０】図４は本考案の理美容用鋏の異形ブッシング１３の要部拡大断面図で、これを具体的に説明すると次のようである。
異形ブッシング１３の外径Ｄｍｍを上部刃体１１の枢軸穴１１ａの外径ｄｍｍとのはめ合い条件として次のように設定されている。
すなわち、ｄｍｍ≦Ｄｍｍ  （Ｄ−ｄ＝０．１ｍｍ）
これにより固定状態が保持される。
なお、下部刃体１２のタッピング穴１２ａは枢軸穴との延長上に重なり、ねじ１４にて締付け固定される。
【符号の説明】  １１  上部刃体
１２  下部刃体
１３  異形ブッシング
１４  取付けねじ
【図１】
0003178656.tif 000003
【図２】
0003178656.tif 000004
【図３】
0003178656.tif 000005
【図４】
0003178656.tif 000006
(57)【要約】      （修正有）【課題】本棚と運搬の用途を兼ね備えた、主に紙段ボールやプラスチック段ボールを素材とする梱包箱を提供する。【解決手段】主に紙の段ボールやプラスチック段ボールを素材とし、小箱Ｂに複数冊の書籍を収納し、小箱Ｂよりひとまわり大きいサイズの大箱Ａを対向するように組み合わせることよって運搬可能な箱状を形成する。運搬先において大箱Ａを取り外し、書籍を収納した小箱Ｂをそのまま本棚として利用する。【選択図】図１
0003178660.tif 000002
【実用新案登録請求の範囲】
【請求項１】
四角形の底板を設け、四角形の一つの角を切り欠いた側板を２枚設け、それぞれ側板の中央部に穴をあけ、底板の両側面に対して垂直に直立するよう２枚の側板を設置し、底板の後方部に対して垂直に直立するよう背板を設置し、両側板及び背板、底板に囲まれた空間部に書籍を収納できる小箱を設け、小箱と同じ構造で、小箱よりひとまわり大きいサイズの大箱を設け、小箱に対向するように大箱を組み合わせて箱状を形成した本棚兼梱包箱。
【考案の詳細な説明】
【技術分野】
【０００１】  本考案は、本棚と運搬の用途を兼ね備えた、主に紙段ボールやプラスチック段ボールを素材とする梱包箱に関するものである。
【背景技術】
【０００２】  従来の段ボール箱は、主に商品を輸送するためや、引越しに伴う持ち物の運搬のために使用されていた。
なお、折り畳み・組立てが可能で、かつ、容易に組み立てることができ、本棚としても使用できる収容ケースが知られている（特許文献１）。
【先行技術文献】
【０００３】
【特許文献１】  特許公開２００３−００２３２０
【考案の概要】
【考案が解決しようとする課題】
【０００４】  従来の主に紙の段ボールを素材とする梱包箱は、商品を輸送するためや、引越しなどに伴って持ち物の運搬のために使用されてきた。使用済みの梱包箱は廃棄されることが多く、使用後に別の目的で使われることは極めて少なかった。
引越しや事務所移転に伴って複数冊の書籍を運搬する場合、発送元における作業として、折りたたまれた状態の主に紙の段ボールを素材とする梱包箱を組み立てて、下面に粘着テープを貼って補強し、上面が空いている状態で、複数冊の書籍を箱に詰めて、上面に粘着テープを貼って箱状の密封状態にする。運送先における作業として、箱状の梱包箱の中身を出すために粘着テープを剥がして梱包箱の上面を空けて、複数冊の書籍を取り出し、本棚や他の収納家具に移し替えるため、手間がかかる。
また、梱包箱の粘着テープの剥がす際に粘着テープの跡がつきやすく美観を損なうため、梱包箱をインテリアや収納家具として使用するには課題があった。
【課題を解決するための手段】
【０００５】  本考案は、主に紙の段ボールやプラスチック段ボールを素材とし、小箱（Ｂ）に複数冊の書籍を収納し、ひとまわり大きいサイズの大箱（Ａ）を対向するように組み合わせることよって運搬可能な箱状を形成する。
以上の構造よりなる本棚兼梱包箱。
【考案の効果】
【０００６】  本考案である本棚兼梱包箱は、起点となる発送元において、複数冊の書籍を収納した小箱（Ｂ）に対向するように、ひとまわり大きいサイズの大箱（Ａ）を組み合わせて箱状を形成して運搬し、運搬先において大箱（Ａ）を取り外し、書籍を収納した小箱（Ｂ）をそのまま本棚として利用できるため、複数冊の書籍を運搬する際にかかっていた手間や時間を大幅に減らすことができる。また、発送元において、複数の本棚兼梱包箱を本棚として使用していた場合、複数の本棚や収納された複数の書籍の元の並び順を変えることなく運搬先で再現できる。
本棚兼梱包箱は、運搬後に本棚として使用できるため、余計なゴミを出さず、しかも繰り返し使うことが可能である。上から被せた箱は、本を収納する箱に重ねることができるため、余計な場所をとらずに済む。
【図面の簡単な説明】
【０００７】
【図１】本考案の正面斜視図
【図２】本考案の箱状斜視図
【図３】本考案の使用状態を示す正面斜視図
【考案を実施するための形態】
【０００８】以下、本考案の実施の形態を説明する。
（イ）主に紙の段ボールやプラスチック段ボールを素材とする四角形の底板（１）を設ける。
（ロ）主に紙の段ボールやプラスチック段ボールを素材とする四角形の一つの角を切り欠いた側板（２）を２枚設け、それぞれ側板（２）の中央部に穴（４）をあける。
（ハ）底板（１）の両側面に対して垂直に直立するよう２枚の側板（２）を設置し、底板（１）の後方部に対して垂直に直立するよう背板（３）を設置し、両側板及び背板、底板に囲まれた空間部（６）に書籍（５）を収納できる小箱（Ｂ）を設ける。
（ニ）小箱（Ｂ）と同じ構造で、小箱（Ｂ）よりひとまわり大きいサイズの大箱（Ａ）を設け、小箱（Ｂ）に対向するように大箱（Ａ）を組み合わせて箱状を形成した本棚兼梱包箱。
本考案を使用するときは、運搬する複数冊の書籍（５）を小箱（Ｂ）に収納する。小箱（Ｂ）に対向するように大箱（Ａ）を組み合わせ、箱状を形成する。その際、それぞれの側板（２）にあいた穴の位置が重なり合うようにする。左右の穴を取っ手として両手の指を通すか、または箱の下面を両手で支えるなどして運搬する。
運搬先においては、大箱（Ａ）を取り外し、複数冊の書籍（５）が収納された小箱（Ｂ）を本棚として所定の場所に設置する。大箱（Ａ）は、小箱（Ｂ）と重ね合わせるか、もうひとつ新たな本棚として使用する。
【符号の説明】
【０００９】１底板、２側板、３背板、４穴、５書籍、６空間部、Ａ大箱、Ｂ小箱
【図１】
0003178660.tif 000003
【図２】
0003178660.tif 000004
【図３】
0003178660.tif 000005
(57)【要約】      （修正有）【課題】太陽光発電パネルの仰角を任意の角度で停止出来るようにした太陽光発電パネル設置用可動架台により発電効率の向上と架台の軽量化を図る太陽光発電パネル設置用可動架台を提供する。【解決手段】軸受４付き基礎架台５と軸受モーター３付き基礎架台６と回転軸１とこの回転軸１を任意の角度で停止出来るようにした正逆転のスイッチ付き制御箱７と太陽光発電パネル取付金具２により構成する。さらに、それぞれの基礎架台を直線的に配置し、軸受４に回転軸１を貫通させ、回転軸１の端末に軸受モーター３を固定し、この回転軸１に太陽光発電パネル取付金具２を取り付け、この回転軸１を任意の角度で停止出来るようにした正逆転のスイッチ付き制御箱７を取り付けて太陽光発電パネル設置用可動架台を形成する。【選択図】図１
0003178659.tif 000002
【実用新案登録請求の範囲】
【請求項１】
軸受付き基礎架台と軸受モーター付き基礎架台と回転軸とこの回転軸を任意の角度で停止出来るようにした正逆転のスイッチ付き制御箱と太陽光発電パネル取付金具により構成され、それぞれの基礎架台を直線的に配置し、軸受に回転軸を貫通させ、回転軸の端末に軸受モーターを接続し、この回転軸に太陽光発電パネル取付金具を取り付け、この回転軸を任意の角度で停止出来るようにした正逆転のスイッチ付き制御箱を取り付けた事を特徴とする太陽光発電パネル設置用可動架台。
【考案の詳細な説明】
【考案の詳細な説明】
【技術分野】
【０００１】この考案は、太陽光発電パネルを設置するための架台に関するものである。
【背景技術】
【０００２】従来の太陽光発電パネルは、図２のような固定架台に設置していた。
【問題が解決しようとする課題】
【０００３】従来の固定架台では、太陽光発電パネルの設置角度が固定されており、
１，季節の太陽光仰角と太陽光発電パネルの受光面が不適合となり、発電効率の低下を招いていた。
２，風圧や積雪への耐久性を持たせるために重装備な架台となり、堅固で重く高価であった。
【問題を解決するための手段】
【０００４】  このため、太陽光発電パネルの仰角を任意の角度で停止出来るようにした太陽光発電パネル設置用可動架台によりこれらの問題点を解決しようとするものである。
具体的には、図１のごとく、軸受４付き基礎架台５と軸受モーター３付き基礎架台６と回転軸１とこの回転軸１を任意の角度で停止出来るようにした正逆転のスイッチ付き制御箱７と太陽光発電パネル取付金具２により構成され、それぞれの基礎架台を直線的に配置し、軸受４に回転軸１を貫通させ、回転軸１の端末に軸受モーター３を固定し、この回転軸１に太陽光発電パネル取付金具２を取り付け、この回転軸１を任意の角度で停止出来るようにした正逆転のスイッチ付き制御箱７を取り付けた事を特徴とする太陽光発電パネル設置用可動架台により解決しようとするものである。
【考案を実施するための形態】
【０００５】  本考案による実施の形態について説明すると、図１の太陽光発電パネル設置用可動架台の構成図のごとく、
１，  軸受４の付いた軸受付き基礎架台５を用意する。
２，  軸受モーター３を取り付けた軸受モーター付き基礎架台６を用意する。
３，  軸受付き基礎架台５と軸受モーター付き基礎架台６を直線的に設置する。
４，  回転軸１を軸受４に貫通し、端末に軸受モーター３を接続する。
５，  回転軸１に太陽光発電パネル取付金具２を取り付ける。
６，  軸受モーター３を制御するための正逆転のスイッチ付き制御箱７を設置する。
以上によりより本考案の太陽光発電パネル設置用可動架台が完成する。
【実施例】
【０００６】  実施例として、図１の太陽光発電パネル設置用可動架台の構成図のごとく、
１、  受付き基礎架台５を２台と軸受モーター付き基礎架台６を１台を太陽光発電パネルの外形よりも大きな間隔で直線的に一列にして設置する。
２、  ２台の軸受４に回転軸１を貫通させ、端末を軸受モーター３に接続する。
３、  回転軸１に太陽光発電パネル取付金具２を太陽光発電パネルの取り付け幅に合わせて固定する。
４、  軸受モーター３を制御するための正逆転のスイッチ付き制御箱７を取り付け、軸受モーター３と正逆転のスイッチ付き制御箱７を結線する。
【考案の効果】
【０００７】  この太陽光発電パネル設置用可動架台により、回転軸１を任意の角度で停止できるようになり、
１、  季節毎に最適な角度で停止できるので、従来よりも太陽光発電パネルの発電量を改善できる様になる。
２、  強風時は太陽光発電パネルを水平方向にすることにより風圧を軽減でき、雪の場合は太陽光発電パネルを垂直方向にすることにより積雪を防止できるようになるので、従来の固定架台よりも軽装備で安価の架台が完成する。
【図面の簡単な説明】
【０００８】
【図１】本考案の太陽光発電パネル設置用可動架台の構成図である。
【図２】従来の太陽光発電パネル設置用架台の構成図である。
【符号の説明】    １  回転軸
２  太陽光発電パネル取付金具
３  軸受モーター
４  軸受
５  軸受付き基礎架台
６  軸受モーター付き基礎架台
７  正逆転のスイッチ付き制御箱
【図１】
0003178659.tif 000003
【図２】
0003178659.tif 000004
(57)【要約】      （修正有）【課題】香り、苦味などがより複合的で清涼感ある味に近づけた菓子を提供する。【解決手段】いもケンピ、さつまいもフライ、さつまいもチップ、ポテトフライ、ポテトチップ等のいもの加工品にゆず、レモン、伊予柑、ニューサマー、河内晩柑、甘夏、ブラッドオレンジ等の柑橘類のピール菓子の粒を付着させた。【選択図】図１
0003178654.tif 000002
【実用新案登録請求の範囲】
【請求項１】
いもケンピ、さつまいもフライ、さつまいもチップ、ポテトフライ、ポテトチップ等のいもの加工品及びかりんと類にゆず、レモン、伊予柑、ニューサマ−、河内晩柑、甘夏、ブラッドオレンジ等の柑橘類のピール菓子の粒を付着させた菓子。
【考案の詳細な説明】
【技術分野】
【０００１】  いものお菓子に関する。
【背景技術】
【０００２】  いもから作ったお菓子、例えばいもケンピは昔から存在する。また以下の文献にも記載されている。
【先行技術文献】
【特許文献】
【０００３】
【特許文献１】実開Ｈ０３−１０８３９３
【考案の概要】
【考案が解決しようとする課題】
【０００４】従来のいもケンピは素朴な味で長く親しまれてきたが、これを一層現代風にしたのが上記の文献にあるチョコレートをかけたものとして存在する。これはこれで味わいのあるものであるが、香り、苦味などより複合的で清涼感ある味に近づけたものはなかった。
【課題を解決するための手段】
【０００５】いもケンピ、さつまいもフライ、さつまいもチップ、ポテトフライ、ポテトチップ等のいもの加工品にゆず、レモン、伊予柑、ニューサマ−、河内晩柑、甘夏、ブラッドオレンジ等の柑橘類のピール菓子の粒を付着させた菓子にて実現した。
【考案の効果】
【０００６】上記の手段を用いることにより従来にない香り、苦味などより複合的で清涼感ある味になった。
【図面の簡単な説明】
【０００７】
【図１】いもケンピにピール菓子の粒を付着させた図を示す。
【考案を実施するための形態】
【０００８】図１はいもケンピを例にしての図であり、いもケンピ以外のさつまいもフライでも同等にピール菓子の粒を付着させて製造する。
【符号の説明】
【０００９】１  いもケンピ
２  ピール菓子の粒
【図１】
0003178654.tif 000003
(57)【要約】      （修正有）【課題】液体に曝露される行為を伴わずに、繰り返し有害生物忌避用の薬剤を吸着させることが可能な容器を提供する。【解決手段】容器の蓋の内側に薬剤収納部を設けたので、有害生物忌避用の器具を本発明の容器に収容するだけで、有害生物忌避用の薬剤が蒸散し、有害生物忌避用の器具に有害生物忌避用の薬剤を吸着させることができる。【選択図】図１
0003178554.tif 000002
【実用新案登録請求の範囲】
【請求項１】
蓋の内側に薬剤収納部を設けたことを特徴とする、有害生物忌避用の器具に対し有害生物忌避用の薬剤を吸着させるための容器。
【考案の詳細な説明】
【技術分野】
【０００１】
この考案は、有害生物忌避用の器具を収容する容器に関するものである。
【背景技術】
【０００２】
先行技術として、特許文献１に記載の有害動物類忌避材が知られている。
【特許文献１】公開番号  平成０７−０２５７０４号
【考案の開示】
【考案が解決しようとする課題】
【０００３】
特許文献１に記載の有害動物類忌避材は、網状またはシート状の生分解性プラスチック基材中に、有害動物類忌避剤を含有させた構成であるため、使用中に忌避剤が分解や消失することによって効果が短期間で失われてしまう問題点があった。
【０００４】
この考案は、上記のような従来技術に存在する問題点に着目してなされたものである。その目的とするところは、散布や浸漬等の液体に曝露される行為を伴わずに、有害生物忌避用の器具を容器内に収容するだけで、繰り返し有害生物忌避用の薬剤を吸着させることが可能な容器を提供することにある。
【課題を解決するための手段】
【０００５】
上記の目的を達成するために、本考案の有害生物忌避用の薬剤を吸着させるための容器は、容器の蓋の内側に薬剤収納部を設けた。このため、有害生物忌避用の器具を本発明の容器に収容するだけで、有害生物忌避用の薬剤が蒸散し、有害生物忌避用の器具に有害生物忌避用の薬剤を吸着させることができる。
【０００６】
従って、薬剤を補充交換する場合や、容器の蓋を開けて有害生物忌避用の器具を出し入れする場合以外には、使用者が薬剤に直接曝露されないため、安全に作業ができる。
【０００７】
本考案で使用する容器は、ガラス製、陶器製、金属製、木製、樹脂製何れであっても使用可能であるが、防水性および使用する有害生物忌避用の薬剤の蒸気が透過しない材質であることが好ましい。また、有害生物忌避用の薬剤の蒸気が透過しない材質のフィルムや薄板との複合構造とすることで、コストと性能を両立させることができる。
【０００８】
本考案で使用する有害生物忌避用の薬剤は、香油、ハロゲン系化合物、リン系化合物、硫黄系化合物等の中から対象とする有害生物に対する効果や安全性を勘案して選ばれる揮発性の薬剤でなければならない。
【０００９】
本考案で使用する有害生物忌避用の器具の材質は、麻、綿等の天然繊維や、各種の化学繊維から耐久性や薬剤の吸着性等を勘案して選択することができる。また、これらを網やシートまたはテープ状に二次加工して使用することもできる。
さらに、薬剤の吸着性を向上させる目的で、有害生物忌避用の薬剤を吸着可能な吸着剤をあらかじめ塗布することが好適である。
【考案の効果】
【００１０】
本考案の有害生物忌避用の薬剤を吸着させるための容器は、容器の蓋の内側に薬剤収納部を設けたので、有害生物忌避用の器具を本発明の容器に収容するだけで、有害生物忌避用の薬剤が蒸散し、有害生物忌避用の器具に有害生物忌避用の薬剤を吸着させることができる。
【考案を実施するための最良の形態】
【００１１】
以下にこの考案を具体化した一実施形態に基づいて詳細に説明する。
【実施例１】
【００１２】
図１に示される本考案の有害生物忌避用の薬剤を吸着させるための容器本体は、上部が解放された円筒形のポリエチレン製であって、容器の蓋の内側には、薬剤収納部として金網製のカゴが固定されている。蓋には穴が開けてあり、穴の栓を外して薬剤収納部に薬剤をしみ込ませた忌避剤を直接投入することができる。
本実施例では、前記金網の目より粒子径の大きなシリカゲルに有害生物忌避用の薬剤として薄荷油をしみ込ませた忌避剤を、薬剤収納部に収納した。
さらに、容器本体には、ポリエチレン製の網である有害生物忌避用の器具を収納し薄荷油の蒸気に曝した。１２時間後、網を容器から取り出して、薄荷臭が網に吸着していることが確認できた。
【産業上の利用可能性】
【００１３】
使用者が薬剤に直接曝露されないため、安全に作業ができる。
【図面の簡単な説明】
【００１４】
【図１】本考案の容器および蓋の断面図
【符号の説明】
【００１５】
１      容器本体
２      蓋
３      薬剤収納部
４      栓
【図１】
0003178554.tif 000003
(57)【要約】      （修正有）【課題】摺動可能の枢着ブロックを利用して、ラダーの展開が安定的になり、使用安全性が向上され、また、幅が大幅に縮小されるため、収納性が向上するラダーの構造を提供する。【解決手段】冂形状体から構成され、中央において、横方向に、等間隔に、フロント支持棒１１が設けられるフロントフレーム１と、二つの対応するへ形状体と、それらの間において、横方向に、等間隔に、設けられるレア支持棒とからなり、その一端が、フロントフレーム１に結合されるレアフレーム２とを備える。さらに、中央において、横方向に、等間隔に、中央支持棒３１が設けられ、上下に摺動変位可能に、レアフレーム２のレア支持棒と、枢着ブロックにより、結合される中央フレーム３と、フロントフレーム１にあるフロント支持棒１１と、レアフレーム２にあるレア支持棒とを跨るように設け、表面において、等距離に波浪柄が形成される。【選択図】図４
0003178562.tif 000002
【実用新案登録請求の範囲】
【請求項１】
冂形状体から構成され、中央において、横方向に、等間隔に、フロント支持棒が設けられるフロントフレームと、
二つの対応するへ形状体と、それらの間において、横方向に、等間隔に、設けられるレア支持棒とからなり、その一端が、フロントフレームに結合されるレアフレームと、
冂形状体から構成され、中央において、横方向に、等間隔に、中央支持棒が設けられ、上下に摺動変位可能に、レアフレームのレア支持棒と、枢着ブロックにより、結合される中央フレームと、
フロントフレームにあるフロント支持棒と、レアフレームにあるレア支持棒とを跨るように、設けられ、表面において、等距離に波浪柄が形成され、係止ホックが設置されるペダルと、
が含有される、
ことを特徴とするラダーの構造。
【考案の詳細な説明】
【技術分野】
【０００１】
本考案は、ラダーの構造に関し、特に、摺動可能の枢着ブロックを利用して、ラダーが、安定的に展開され、、使用安全性が向上され、また、ラダーのペダル周縁において、波浪状になり，外形の美観性が向上される。
【背景技術】
【０００２】
従来のラダーは、殆ど、人形状に設計され、斜めに設置されたフロントフレームや、斜めに設置されたレアフレームに、跨るように、複数のペダルが設置され、従来のラダーは、展開される時、ペダルが真ん中に位置していないため、安定的ではないので、使用安全性が悪くなり、また、従来のラダーの収納には、操作が不便である。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、摺動可能の枢着ブロックを利用して、ラダーの展開が安定的になり、使用安全性が向上され、また、ラダーを収納する時、幅が大幅に縮小されるため、収納性が向上され、また、ラダーを収納するための操作も、簡単になる。
【課題を解決するための手段】
【０００５】
請求項１の考案は、冂形状体から構成され、中央において、横方向に、等間隔に、フロント支持棒が設けられるフロントフレームと、二つの対応するへ形状体と、それらの間において、横方向に、等間隔に、設けられるレア支持棒とからなり、その一端が、フロントフレームに結合されるレアフレームと、冂形状体から構成され、中央において、横方向に、等間隔に、中央支持棒が設けられ、上下に摺動変位可能に、レアフレームのレア支持棒と、枢着ブロックにより、結合される中央フレームと、フロントフレームにあるフロント支持棒と、レアフレームにあるレア支持棒とを跨るように、設けられ、表面において、等距離に波浪柄が形成され、係止ホックが設置されるペダルと、が含有される、ことを特徴とするラダーの構造である。
【０００６】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００７】
図１乃至図３を参照しながら、本考案は、
冂形状体から構成され、中央において、横方向に、等間隔に、フロント支持棒１１が設けられるフロントフレーム１と、
二つの対応するへ形状体と、それらの間において、横方向に、等間隔に、設けられるレア支持棒２１とからなり、その一端が、フロントフレーム1に結合されるレアフレーム２と、
冂形状体から構成され、中央において、横方向に、等間隔に、中央支持棒３１が設けられ、上下に摺動変位可能に、レアフレーム２のレア支持棒と、枢着ブロック４により、結合される中央フレーム３と、
図４のように、フロントフレーム１にあるフロント支持棒１１と、レアフレーム２にあるレア支持棒２１とを跨るように、設けられ、表面において、等距離に波浪柄が形成され、これにより、摩擦力が増大され、また、前後端面にも、波浪状に、凹凸が設置され、全体として、より立体的になり、また、美観化効果が得られ、また、係止ホック６が設置され、展開や収納する状態で、レアフレーム２にあるレア支持棒２１と互いに係合できるペダル５と、が含有される。
【０００８】
上記の構成によれば、本考案に係るラダーを展開して、利用するとき、図１と図４のように、上記ペダル５に、レアフレーム２にあるレア支持棒２１と互いに扣合できる係止ホック６があるため、展開の時、ラダーの部品が堅く連結固定され、使用安全性が向上される。
【０００９】
本考案に係るラダーを収納する時、図５のように、まず、係止ホック６を、レア支持棒２１から脱離させ、そして、レアフレーム２を、フロントフレーム１へ向かって押すと、中央フレーム３とフロントフレーム１との平行距離が縮小され、それと同時に、各ペダル５が、上へ回転し、このような収納操作の過程において、上記枢着ブロック４は、摺動可能に、中央フレーム３の中央支持棒３１に、設置され、レアフレーム２とフロントフレーム１とが、完全に張り合わせる時、ラダーの幅が、大幅に縮小され、收納体積を低減する効果が得られる。
【００１０】
そのため、本考案は、より進歩的かつより実用的で、法に従って実用新案登録請求を出願する。
【００１１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１２】
【図１】本考案のラダーの展開状態の立体図
【図２】本考案のラダーの展開状態の局部立体図
【図３】本考案のラダーの展開状態の正面図
【図４】本考案のラダーのＢ−Ｂ線断面図
【図５】本考案のラダーの収納状態の側面図
【符号の説明】
【００１３】
１  フロントフレーム
１１  フロント支持棒
２  レアフレーム
２１  レア支持棒
３  中央フレーム
３１  中央支持棒
４  枢着ブロック
５  ペダル
６  係止ホック
【図１】
0003178562.tif 000003
【図２】
0003178562.tif 000004
【図３】
0003178562.tif 000005
【図４】
0003178562.tif 000006
【図５】
0003178562.tif 000007